(57)【要約】      （修正有）【課題】一体成型で局部が増強された包装構造を提供する。【解決手段】一体成型で局部が増強された包装構造は、壁部１１、１２、１３、１４、１５、１６および相互に隣接する２個の壁部１１、１２、１３、１４、１５、１６の間に形成する角部２０を備える。壁部１１、１２、１３、１４、１５、１６或いは角部２０には、局部増強ストリップ３１、３２、３３、３４を設置する。これにより同等の条件であれば、薄い材料を厚い材料に置換しながら、製品包装の技術要求を達成し包装強度を保証できるため、全体的な包装の厚みを拡大することなく、二酸化炭素削減および環境保護の理念を実現でき、企業にとっての全体的コストを低減し、全体的な効果を高めることができる。【選択図】図１
0003192202.tif 000002
【実用新案登録請求の範囲】
【請求項１】
一体成型で局部が増強された包装構造であって、壁部および相互に隣接する２個の壁部の間に形成する角部を備え、
前記壁部或いは前記角部には、局部増強ストリップを設置するであることを特徴とする一体成型で局部が増強された包装構造。
【請求項２】
前記包装構造は、一体成型の底壁、頂壁、側壁を備え、
前記増強ストリップは、前記底壁から前記側壁へと延伸し、前記側壁から前記頂壁へと延伸することを特徴とする請求項１記載の一体成型で局部が増強された包装構造。
【請求項３】
前記側壁は、左側壁と右側壁を備え、
前記増強ストリップは、左右対称に設置する左側増強ストリップと右側増強ストリップを備え、
前記左側増強ストリップは、前記底壁から前記左側壁へと延伸し、前記左側壁から前記頂壁へと延伸し、
前記右側増強ストリップは、前記底壁から前記右側壁へと延伸し、前記右側壁から前記頂壁へと延伸することを特徴とする請求項２記載の一体成型で局部が増強された包装構造。
【請求項４】
前記側壁はさらに、前側壁と後側壁を備え、
前記増強ストリップはさらに、前後対称に設置する前側増強ストリップと後側増強ストリップを備え、
前記後側増強ストリップは、前記頂壁中央部から前記後側壁へと延伸し、前記後側壁から前記底壁へと延伸し、
前記前側増強ストリップは、前記頂壁中央部から前記前側壁へと延伸し、前記前側壁から前記底壁へと延伸することを特徴とする請求項３記載の一体成型で局部が増強された包装構造。
【請求項５】
前記増強ストリップは、角部と形状が対応するＬ字型増強ストリップで、
前記Ｌ字型増強ストリップの二辺は、角部の相互に隣接する２個の壁部上にそれぞれ設置することを特徴とする請求項１記載の一体成型で局部が増強された包装構造。
【請求項６】
前記壁部は、４個の側壁で、
前記Ｌ字型増強ストリップは、相互に隣接する２個の側壁の間に形成する４個の角部に設置することを特徴とする請求項５記載の一体成型で局部が増強された包装構造。
【請求項７】
前記包装構造は、一枚の紙板或いはシート状紙を、ダイカットと折畳みを通して形成する一体成型の紙箱或いは紙袋であることを特徴とする請求項１記載の一体成型で局部が増強された包装構造。
【請求項８】
前記増強ストリップは、接着剤により接着し、或いはピンを打つことで、壁部或いは角部に固定することを特徴とする請求項１記載の一体成型で局部が増強された包装構造。
【請求項９】
前記増強ストリップの両側は、内側へと移動させ、中央部には凸起部を形成し、しかも接着剤を用い、或いはピンを打つことで、凸起部と内側へと移動させた部位とを貼り合わせ、或いは固定することを特徴とする請求項１記載の一体成型で局部が増強された包装構造。
【考案の詳細な説明】
【技術分野】
【０００１】
本考案は、包装に関し、一体成型で局部が増強された包装構造に関する。
【背景技術】
【０００２】
製品が出荷され、輸送、保管、販売される際には、製品を包装するため、外包装として紙箱、或いは紙袋が必要である。特に、壊れ易い、或いは貴重な製品の場合には、外包装の強度に対する要求は高い。
【０００３】
従来の紙製包装物は、抗圧および耐破指標を高めるため、外包装整体の厚みを増し、或いは角保護物、保護板等をプラスする方法が用いられる。
【先行技術文献】
【特許文献】
【０００４】
【特許文献１】なし
【考案の概要】
【考案が解決しようとする課題】
【０００５】
しかし、上述した考案は使用上に欠点があり、改善する必要がある。その原因は下記の通りである。
【０００６】
包装が過度となり、原料コストと物流コストを拡大させるだけでなく、投資コストも増大させる結果となっている。しかも、二酸化炭素削減や環境保護の理念に符合しないという問題も存在する。 
【０００７】
本考案は、上述の問題に鑑みてなされたものであり、その目的は、包装強度を保証でき、全体的な包装の厚みを拡大する必要がない一体成型で局部が増強された包装構造を提供することにある。
【課題を解決するための手段】
【０００８】
本考案による一体成型で局部が増強された包装構造は、壁部および相互に隣接する２個の壁部の間に形成する角部を備える。壁部或いは角部には、局部増強ストリップを設置する。
【０００９】
本考案による一体成型で局部が増強された包装構造は、好ましくは、一体成型の底壁、頂壁、側壁を備え、増強ストリップは、底壁から側壁へと延伸し、側壁から頂壁へと延伸する。
好ましくは、側壁は、左側壁と右側壁を備え、増強ストリップは、左右対称に設置する左側増強ストリップと右側増強ストリップを備え、左側増強ストリップは、底壁から左側壁へと延伸し、左側壁から頂壁へと延伸する。右側増強ストリップは、底壁から右側壁へと延伸し、右側壁から頂壁へと延伸する。
好ましくは、側壁はさらに、前側壁と後側壁を備え、増強ストリップはさらに、前後対称に設置する前側増強ストリップと後側増強ストリップを備え、後側増強ストリップは、頂壁中央部から後側壁へと延伸し、後側壁から底壁へと延伸する。前側増強ストリップは、頂壁中央部から前側壁へと延伸し、前側壁から底壁へと延伸する。
好ましくは、増強ストリップは、角部と形状が対応するＬ字型増強ストリップで、Ｌ字型増強ストリップの二辺は、角部の相互に隣接する２個の壁部上にそれぞれ設置する。
好ましくは、壁部は、４個の側壁で、Ｌ字型増強ストリップは、相互に隣接する２個の側壁の間に形成する４個の角部に設置する。
好ましくは、包装構造は、一枚の紙板或いはシート状紙を、ダイカットと折畳みを通して形成する一体成型の紙箱或いは紙袋。
好ましくは、増強ストリップは、接着剤により接着し、或いはピンを打つことで、壁部或いは角部に固定する。
【００１０】
本考案による一体成型で局部が増強された包装構造は、好ましくは、増強ストリップの両側は、内側へと移動させ、中央部には凸起部を形成し、しかも接着剤を用い、或いはピンを打つことで、凸起部と内側へと移動させた部位とを貼り合わせ、或いは固定する。
【考案の効果】
【００１１】
本考案の効果は以下の通りである。
(１)壁部或いは角部には、局部増強ストリップを設置するため、包装強度を保証でき、全体的な包装の厚みを拡大することなく、二酸化炭素削減および環境保護理念を実現することができる。
(２)増強ストリップは、さまざまな包装ニーズに応じて、底壁から側  壁へと延伸し、側壁から頂壁へと延伸するため、包装構造の全体性が向上し、強度も高まる。
(３)Ｌ形増強ストリップは、相互に隣接する２個の側壁の間に形成する４個の角部に設置するため、強度が増強され、包装構造は押されてつぶれにくくなる。
【図面の簡単な説明】
【００１２】
【図１】本考案一実施形態による包装構造の立体構造模式図である。
【図２】図１の正視図である。
【図３】図１の側視図である。
【図４】図１の俯視図である。
【図５】図１の展開構造模式図である。
【図６】図５中のＡ位置における折れ線の詳細模式図である。
【図７】図５中の１-１の増強ストリップ折畳みの構造断面図である。
【図８】本考案他の実施形態による包装構造の立体構造模式図である。
【図９】図８の正視図である。
【図１０】図８の側視図である。
【図１１】図８の俯視図である。
【図１２】図８の展開構造模式図である。
【図１３】図１２中のＢ位置における折れ線の詳細模式図である。
【図１４】図１２中の２-２の増強ストリップ折畳みの構造断面図である。
【考案を実施するための形態】
【００１３】
本考案の一実施形態による包装強度を保証でき、全体的な包装の厚みを拡大する必要がない一体成型で局部が増強された包装構造を図面に基づいて説明する。
本考案の一実施形態による局部増強包装構造は、壁部および相互に隣接する２個の壁部の間に形成する角部を備える。壁部或いは角部には、局部増強ストリップを設置する。
同等の条件であれば、薄い(或いは軽い)材料により、厚い(或いは重い)材料に置換でき、製品包装の技術要求を達成でき、企業にとっての全体的コストを低減し、全体的な効果を高めることができる。
【００１４】
具体的には、図１〜７に示すように、包装構造は、一体成型の底壁１１、頂壁１２、側壁を備える。側壁は、左側壁１３、右側壁１４、前側壁１５、後側壁１６を備える。
【００１５】
増強ストリップは、底壁１１から側壁へと延伸し、側壁から頂壁１２へと延伸する。増強ストリップは、左右対称に設置する左側増強ストリップ３１と右側増強ストリップ３２、および前後対称に設置する前側増強ストリップ３３ と後側増強ストリップ３４を備える。左側増強ストリップ３１は、底壁１１から左側壁１３へと延伸し、左側壁１３から頂壁１２へと延伸する。右側増強ストリップ３２は、底壁１１から右側壁１４へと延伸し、右側壁１４から頂壁１２へと延伸する。後側増強ストリップ３４は、頂壁１２中央部から後側壁１６へと延伸し、後側壁１６から底壁１１へと延伸する。前側増強ストリップ３３は、頂壁１２中央部から前側壁１５へと延伸し、前側壁１５から底壁１１へと延伸する。こうして、包装構造の全体的な性能は向上し、強度は高くなり、抗圧及び耐破指標は明確に向上する。
【００１６】
図８〜１４に示すように、増強ストリップは、角部２０と形状が対応するＬ字型増強ストリップ３５とすることができる。Ｌ字型増強ストリップ３５の二辺は、角部２０の相互に隣接する２個の壁部上にそれぞれ設置する。好ましくは、壁部は、４個の側壁で、左側壁１３、右側壁１４、前側壁１５、後側壁１６を備える。Ｌ字型増強ストリップ３５は、相互に隣接する２個の側壁の間に形成する４個の角部２０に設置する。こうして、包装構造は、縦方向においてつぶれにくくなり、強度が増強される。
【００１７】
図６或いは図１３に示すように、増強ストリップの折畳み過程では、紙板或いはシート状紙の両側を内側へと移動させ、紙板或いはシート状紙の中央部には、凸起部を形成する。凸起部は、力を受け圧迫される。しかも、接着剤を用い、或いはピンを打つことで、凸起部と紙板或いはシート状紙の下側とを、貼り合わせ、或いは固定する。
【００１８】
好ましくは、包装構造は、一枚の紙板或いはシート状紙を、ダイカットと折畳みを通して、一体成型の紙箱或いは紙袋に形成する。増強ストリップは、接着剤により接着し、或いはピンを打つことで、壁部或いは角部に固定する。
【００１９】
図５或いは図１２の展開構造模式図に示すように、紙板或いはシート状紙には先ず、必要に応じて、増強ストリップを固定する。次に、縦方向に折れ線を圧迫し、横方向に切断後、箱部材を形成する。折畳み時には、箱部材の中央部の４個の面は、箱体の左側壁１３、右側壁１４、前側壁１５、後側壁１６を構成し、側面の辺部分は、内側へと折られた後、底壁１１と頂壁１２を形成する。
【００２０】
本考案を採用することで、紙箱を例とすれば、三層紙板生産ラインと五層紙板生産ラインにおいて、３５％以上の投資を削減することができる。同等の条件であれば、三層紙板(或いは低重量材料)では、それぞれの製品の包装ニーズに基づき、上述の局部増強方法により、五層紙板(或いは高重量材料)の大部分の中小型包装箱に置換することができる。こうして、それぞれ製品の包装要求に応じて、包装材質とサイズを変えないという前提の下、包装物の抗圧および耐破指標を明らかに高めることができ、或いは包装物の抗圧と耐破指標不変の前提の下、薄い材料を厚い材料の代わりに用いることができ、過度な包装を回避し、材料の無駄使いを抑え、生産コストを低下させ、企業にとっての総合的な利益を高めることができる。
【００２１】
上述の実施形態による説明を総合すると、本考案の操作、使用、及び本考案が生じる効果を充分理解することができる。しかし、以上に述べた実施形態は単に本考案の好ましい実施形態であり、これによって本考案の特許請求の範囲を限定することではない。即ち本考案の特許請求の範囲及び説明書の内容に基づいて、同等効果を有する簡単な変化及び修飾は、全て、本考案の範囲内に属するものとする。
【符号の説明】
【００２２】
１１  底壁、
１２  頂壁、
１３  左側壁、
１４  右側壁、
１５  前側壁、
１６  後側壁、
２０  角部、
３１  左側増強ストリップ、
３２  右側増強ストリップ、
３３  前側増強ストリップ、
３４  後側増強ストリップ、
３５  Ｌ字型増強ストリップ。
【図１】
0003192202.tif 000003
【図２】
0003192202.tif 000004
【図３】
0003192202.tif 000005
【図４】
0003192202.tif 000006
【図５】
0003192202.tif 000007
【図６】
0003192202.tif 000008
【図７】
0003192202.tif 000009
【図８】
0003192202.tif 000010
【図９】
0003192202.tif 000011
【図１０】
0003192202.tif 000012
【図１１】
0003192202.tif 000013
【図１２】
0003192202.tif 000014
【図１３】
0003192202.tif 000015
【図１４】
0003192202.tif 000016